(57)【特許請求の範囲】
【請求項１】
上・下方向を有し、ボール載置部を有する中空の支持体と、地中に差し込まれる差込体とを備え、前記支持体は、外周面に前記上・下方向へ延びる案内溝孔を有し、前記差込体は、前記支持体に旋回可能に連結されており、前記支持体に前記下方向へ連なる位置から、前記案内溝孔を介して該支持体の内外部へ変位可能であるゴルフティー。
【請求項２】
前記差込体は、軸部が位置する基端部と、先端部とを有し、前記支持体は、前記ボール載置部から下方へ延びる中間部と、前記中間部の下方に位置する軸受部とを有し、前記軸部が前記軸受部に位置する透孔に係合される請求項１に記載のゴルフティー。
【請求項３】
前記案内溝孔は、前記支持体の下端縁から上方へ延びる幅狭部分と、前記幅狭部分から上方へ延びる幅広部分とを有し、前記幅狭部分の幅寸法が前記差込体の前記基端部の外径寸法よりも小さく、前記支持体の外周面の一部であって前記案内溝孔を形成する対向壁部を弾性変形させることによって、前記案内溝孔に前記差込体を通過させる請求項２に記載のゴルフティー。
【請求項４】
前記差込体を旋回して前記支持体内部に位置した状態において、前記差込体の前記先端部が前記ボール載置部よりも上方へ突出する請求項２又は３に記載のゴルフティー。
【請求項５】
前記ボール載置部は、複数の支持片から形成された、平面視放射状である請求項１〜４のいずれかに記載のゴルフティー。
【発明の詳細な説明】
【技術分野】
【０００１】
本発明は、ゴルフティーに関する。
【背景技術】
【０００２】
特許文献１には、地中に差し込まれる差込体と、差込体に旋回可能に連結された、ボール配置部を有する支持体とを有するゴルフティーが開示されている。
【先行技術文献】
【特許文献】
【０００３】
【特許文献１】実用新案登録第３１３２３９９号公報
【発明の概要】
【発明が解決しようとする課題】
【０００４】
特許文献１に開示のゴルフティーにおいては、支持体が差込体に旋回可能に連結されていることによって、ボール載置部に載置されたボールをティーショットしたときに、打撃によって支持体が旋回して地中に対して直立した状態で差し込まれた差込体に対して斜めになることによって、打撃による衝撃を吸収し、ゴルフティーが地面から飛び出してしまうことを防止することができる。
【０００５】
本発明の課題は、従来のゴルフティーの改良であって、打撃による衝撃を吸収することができるとともに、携帯性に優れたゴルフティーを提供することにある。
【課題を解決するための手段】
【０００６】
本発明に係るゴルフティーは、上・下方向を有し、ボール載置部を有する中空の支持体と、地中に差し込まれる差込体とを備え、前記支持体は、外周面に前記上・下方向へ延びる案内溝孔を有し、前記差込体は、前記支持体に旋回可能に連結されており、前記支持体に前記下方向へ連なる位置から、前記案内溝孔を介して該支持体の内外部へ変位可能である。
【発明の効果】
【０００７】
本発明の１つ以上の実施形態に係るゴルフティーにおいては、差込体が旋回して支持体の内外部へ変位することができるので、ティーショットのときに打撃による衝撃を吸収することができるとともに、コンパクトに収容、携帯することができる。
【図面の簡単な説明】
【０００８】
【図１】本発明の実施形態に係るゴルフティーの斜視図。
【図２】ゴルフティーの正面図。
【図３】ゴルフティーの背面図。
【図４】図１のＩＶ−ＩＶ線に沿う断面図。
【図５】（ａ）差込体を旋回していない状態におけるゴルフティーの斜視図。（ｂ）差込体を支持体に対して９０度旋回した状態におけるゴルフティーの斜視図。（ｃ）差込体を支持体の内部に位置させた状態におけるゴルフティーの斜視図。
【図６】図５（ｃ）の状態におけるゴルフティーの正面図。
【図７】ゴルフボールをショットした後のゴルフティーの側面図。
【発明を実施するための形態】
【０００９】
下記の実施の形態は、図１〜図７に示すゴルフティーに関し、発明に不可欠な構成ばかりではなく、選択的又は好ましい構成を含む。
【００１０】
図１〜図３を参照すると、ゴルフティー１０は、上・下方向Ｙ１，Ｙ２及び周方向Ｒとを有し、地中に差し込む差込体２０と、差込体２０と旋回可能に連結された、ゴルフボール４０が載置される中空円筒状のボール支持体３０とを含む。差込体２０は、細棒状であって、中心軸Ｐと交差する方向へ延びる軸部２３が位置する基端部２１と、基端部２１よりも径寸法の小さな先細状の先端部２２とを有する。差込体２０は、硬質プラスチック材料、例えば、ポリエチレン、ポリプロピレン等の熱可塑性樹脂やアクリル樹脂等の熱硬化性樹脂等から形成される。本明細書において、ゴルフティー１０が伸展した状態とは、差込体２０とボール支持体３０とが上・下方向Ｙ１，Ｙ２へ直列した状態を意味し、ゴルフティー１０が折り畳まれた状態とは、差込体２０が旋回してボール支持体３０の内部へ移動した状態を意味する。
【００１１】
ボール支持体３０は、上端縁３０ａと、下端縁３０ｂと、差込体２０の軸部２３が係合される受孔を有する軸受部３１と、軸受部３１から上方向Ｙ１へ延びる中間部３２と、中間部３２の上方向Ｙ１に位置する花弁状のボール載置部３３とを有する。差込体２０の基端部２１は、軸受部３１において軸支されるとともに、基端部２１が貫通されるボール支持体３０の下端開口の内周寸法が基端部２１の外周寸法とほぼ同じであって互いに密接されていることから、差込体２０がボール支持体３０に安定的に連結される。ボール載置部３３は、周方向Ｒにおいて互いに離間するように、平面視放射状に配置された複数の支持片３３ａから構成されている。ボール支持体３０は、軟質プラスチック材料、例えば、ポリオレフィン系樹脂、ポリウレタン系樹脂、ポリアミド系樹脂等の熱可塑性樹脂、シリコーンゴム、ウレタンゴム等の合成ゴムや天然ゴム等から形成することができる。後記の対向壁部５１，５２の正面側には、複数の突起３７が配置された凹状の指当て部３８が位置している。また、中間部３２の背面側には、上・下方向Ｙ１，Ｙ２へ離間して配置された複数の凹状の指当て部３９が位置している。
【００１２】
また、ボール支持体３０は、外周面において、上端縁３０ａから下端縁３０ｂまで延びる案内溝孔３６をさらに有する。案内溝孔３６は、外周縁の一部からなる、周方向Ｒにおいて互いに対向する対向壁部５１，５２間に形成されており、下端縁３０ｂから上方向Ｙ１へ向かって延びる幅狭部分３６Ａと、指当て部３８の上端近傍から上端縁３０ａまで延びる幅広部分３６Ｂとを有する。幅狭部分３６Ａの幅寸法（周方向Ｒの寸法）Ｗ１は、差込体２０の基端部２１の径寸法よりも小さく、幅広部分３６Ｂの幅寸法Ｗ２は、先端部２２の径寸法と同じ又はそれよりも僅かに小さくなっている。図示例では、ボール載置部３３を構成する支持片３３ａの先端は、ボール４０を安定して地面に対して水平に載置するために、斜め下方へ傾斜した形状を有している。同様の効果を奏する限り、かかる形状に限定されるものではない。また、ボール載置部３３は、５つの支持片３３ａによって構成されているが、ゴルフボール４０を安定して載置できる限りにおいて、５つ以下又はそれ以上の支持片によって形成されていてもよいし、互いに分離した支持片ではなく、周方向へ連続した凹状部分から形成されていてもよい。
【００１３】
図５（ａ）〜（ｃ）を参照すると、ゴルフティー１０の差込体２０は、支持体３０の軸受部３１の透孔（受孔）に係合された軸部２３を中心に旋回可能であって、その操作方法の一例について説明すると、まず、ゴルフプレーヤーが、一方の手の親指を指当て部３８、人差し指を指当て部３９に当てながらボール支持体３０を摘持して、他方の手で差込体２０の先端部２２を摘持してボール支持体３０へ向かって旋回させる。差込体２０が旋回すると同時に、案内溝孔３６を形成する外周面の対向壁部５１，５２が弾性的に周方向Ｒへ押し広げられて、次第にその離間寸法が大きくなる。図５（ｂ）を参照すると、差込体２０をボール支持体３０に対して９０度旋回した状態において、案内溝孔３６の幅狭部分３６Ａの離間寸法が最大となり、基端部２１が対向壁部５１，５２に圧接された状態のまま、差込体２０をさらに旋回させることによって差込体２０全体が案内溝孔３６を通過する。差込体２０が案内溝孔３６を通過した後、押し広げられた対向壁部５１，５２は弾性的に復帰して元の状態に戻る。
【００１４】
図５（ｃ）を参照すると、支持体３０が差込体２０上に上方向Ｙ１へ連なる位置から、差込体２０を１８０度旋回して完全に支持体３０の内部空間５０に位置させることによって、差込体２０の先端部２２は、ボール載置部３３の支持片３３ａに囲まれるように上方向Ｙ１へ向いた状態となる。このように、差込体２０を旋回して完全に支持体３０の内部空間５０内に位置させることによって、ゴルフティー１０をコンパクトにすることができ、収納性及び携帯性に優れる。そのため、プレーヤーは、ゴルフティーを折り畳んだ状態のまま衣服のポケットに収容することができる。また、ゴルフティー１０を元の伸展状態とするには、ゴルフプレーヤーが一方の手でボール支持体３０を摘持しながら他方の手で内部空間５０内に位置する差込体２０の先端部２２を摘持して案内溝孔３６へ向かって変位させ、対向壁部５１，５２を押し拡げながら案内溝孔３６を通過させるようにして旋回させればよい。したがって、ゴルフティー１０は、その簡易な構成によって、折り畳んだ状態と伸展した状態との切替を簡易かつスピーディに操作することができる。
【００１５】
図６を参照すると、図５（ｃ）で示したように、差込体２０が完全に支持体３０の内部空間５０内に位置した状態において、先端部２２の一部は、ボール支持体３０の上端縁３０ａよりも上方に位置している。このように、折り畳んだ状態において、先端部２２が上端縁３０ａよりも上方向Ｙ１へ突出していることから伸展するときに先端部２２を摘持しやすくなり、例えば、親指を先端部２２に押し当ててそのまま案内溝孔３６へ向かって移動させることによって、案内溝孔３６を押し広げて差込体２０をボール支持体３０の外へ変位させることができる。このとき、幅広部分３６Ｂの幅寸法Ｗ２は、差込体２０の先端部２２の外径寸法よりとほぼ同じ又はそれよりも僅かに小さいものであるから、先端部２２が大きな抵抗を受けることなく幅広部分３６Ｂを通過させることができ、スムーズに操作することができる。
【００１６】
図７を参照すると、ゴルフティー１０のボール載置部３３に載置したゴルフボール４０をショットしたときには、ゴルフティー１０には衝撃によってスイング方向への力であって、ボール支持体３０を旋回させようとする力が作用する。ゴルフティー１０が、案内溝孔３６をゴルフボール４０の打撃面の逆側に位置するように地面６０に差し込まれることによって、インパクトの瞬間に、支持体３０を旋回させる力が作用して、軸受部３１側の対向壁部５１，５２が差込体２０の基端部２２によって押し拡げられ、基端部２２がそれらに圧接された状態のまま幅狭部分３６Ａに位置し、ボール支持体３０が地面６０に対して斜めになる。このように、ボール支持体３０が屈曲することによってインパクトによる衝撃を吸収することができるので、ゴルフティー１０が地面６０から抜け出すことを防止することができる。
【００１７】
既述のとおり、案内溝孔３６の幅狭部分の幅寸法Ｗ１が差込体２０の外径寸法よりも小さいことによって、それを通過するときに抵抗が生じ、ボール支持体３０が移動して幅狭部分を押し広げるためには比較的に強い力が必要となる。したがって、例えば、プレイ中のインパクトの瞬間に、ゴルフクラブのフェースがゴルフティー１０のボール支持体３０に衝接しても、案内溝孔３６が差込体２０によってわずかに押し拡げられて、ボール支持体３０が旋回した状態のまま維持されるので、ゴルフティー１０が地面から抜け出るのを防ぐことができる。
【００１８】
ゴルフティー１０を構成する各構成部材には、特に明記されていない限りにおいて、本明細書に記載されている材料のほかに、この種の分野において通常用いられている、各種公知の材料を制限なく用いることができる。
【００１９】
本発明に係るゴルフティーの構成は、下記のとおり、整理することができる。
上・下方向を有し、ボール載置部を有する中空の支持体と、地中に差し込まれる差込体とを備え、前記支持体は、外周面に前記上・下方向へ延びる案内溝孔を有し、前記差込体は、前記支持体に旋回可能に連結されており、前記支持体に前記下方向へ連なる位置から、前記案内溝孔を介して該支持体の内外部へ変位可能である。
【００２０】
本発明は、下記の実施形態を含み、該形態は、独立又は組合せによって採択することができる。
（１）前記差込体は、軸部が位置する基端部と、先端部とを有し、前記支持体は、前記ボール載置部から下方へ延びる中間部と、前記中間部の下方に位置する軸受部とを有し、前記軸部が前記軸受部に位置する透孔に係合される。
（２）前記案内溝孔は、前記支持体の下端縁から上方へ延びる幅狭部分と、前記幅狭部分から上方へ延びる幅広部分とを有し、前記幅狭部分の幅寸法が前記差込体の前記基端部の外径寸法よりも小さく、前記支持体の外周面の一部であって前記案内溝孔を形成する対向壁部を弾性変形させることによって、前記案内溝孔に前記差込体を通過させる。
（３）前記差込体を旋回して前記支持体内部に位置した状態において、前記差込体の前記先端部が前記ボール載置部よりも上方へ突出する。
（４）前記ボール載置部は、複数の支持片から形成された、平面視放射状である。
【００２１】
ゴルフティーを構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」および「第２」の用語は、同様の要素、位置等を単に識別するために用いている。
【符号の説明】
【００２２】
１０  ゴルフティー
２０  差込体
２１  基端部
２２  先端部
２３  軸部
３０  ボール支持体（支持体）
３１  軸受部
３２  中間部
３３  ボール載置部
３３ａ  支持片
３６  案内溝孔
３６Ａ  幅狭部分
３６Ｂ  幅広部分
５１，５２  対向壁部
Ｗ１  幅寸法
Ｙ１  上方向
Ｙ２  下方向
【図１】
0006419684.tif 000002
【図２】
0006419684.tif 000003
【図３】
0006419684.tif 000004
【図４】
0006419684.tif 000005
【図５】
0006419684.tif 000006
【図６】
0006419684.tif 000007
【図７】
0006419684.tif 000008